(57)【要約】【課題】一方側軒樋本体と他方側軒樋本体を内側と外側の両方でより確実に接合でき、施工性も向上できる軒樋継手を提供すること。【解決手段】軒樋継手１が、軒樋本体８０の内面の継ぎ目を覆う内継手１０と、軒樋本体８０の外面の継ぎ目を覆う外継手３０を備える。内継手１０が、軒樋本体８０の前壁５１に沿うように延在する内継手前壁１１と、軒樋本体８０の後壁５３に沿うように延在する内継手後壁１２を有する。内継手前壁１１が前壁５１における軒樋本体８０の開口側に設けられた前側耳部６２に係止する前側係止部１１ｄを有すると共に、内継手後壁１２が後壁５３における上記開口側に設けられた後側耳部６６に係止する後側係止部１２ｂを有する。内継手前壁１１と内継手後壁１２が第１のヒンジ部２０を介して接続され、内継手前壁１１と外継手３０が第２のヒンジ部４０を介して接続される。【選択図】図６
2019002247.tif 000002
【特許請求の範囲】
【請求項１】
互いに隣接する一方側軒樋本体の端部と他方側軒樋本体の端部を接続する軒樋継手であって、
前記一方側軒樋本体の内面に設置される内側第１部分と前記他方側軒樋本体の内面に設置される内側第２部分とを有して、前記一方側軒樋本体の内面と前記他方側軒樋本体の内面との継ぎ目を内側から覆うように沿設される内継手と、
前記一方側軒樋本体の外面に装着される外側第１部分と前記他方側軒樋本体の外面に装着される外側第２部分とを有して、前記一方側軒樋本体の外面と前記他方側軒樋本体の外面との継ぎ目を外側から覆うように沿設される外継手と、を備え、
前記内継手は、前記一方側軒樋本体と前記他方側軒樋本体とで構成される軒樋本体の底面側から前記軒樋本体の前壁に沿うように延在する内継手前壁と、前記底面側から前記軒樋本体の後壁に沿うように延在する内継手後壁と、を有し、
前記内継手前壁が前記前壁の上端部に設けられた前側耳部に係止する前側係止部を有すると共に、前記内継手後壁が前記後壁の上端部に設けられた後側耳部に係止する後側係止部を有し、
前記内継手前壁と前記内継手後壁が第１のヒンジ部を介して接続され、前記内継手前壁の上端部と前記外継手の上端部が第２のヒンジ部を介して接続される、軒樋継手。
【請求項２】
前記外継手は、前記前壁に沿うように延在する外継手前壁と、前記軒樋本体の底面に沿うように延在する外継手底壁と、前記後壁に沿うように延在する外継手後壁と、を有し、
前記外継手前壁は、前記前側耳部に係止する耳部係止部を有し、
前記内継手前壁の前側係止部は、前記前側耳部に接する耳部押さえ面を有し、
前記耳部係止部と前記耳部押さえ面が、前記第２のヒンジ部を介して接続される、請求項１に記載の軒樋継手。
【発明の詳細な説明】
【技術分野】
【０００１】
本開示は、軒樋継手に関する。
【背景技術】
【０００２】
従来、軒樋継手としては、特許文献１に記載されているものがある。この軒樋継手は、内継手であり、一方側軒樋本体と他方側軒樋本体との継ぎ目を覆うように、一方側軒樋本体と他方側軒樋本体で構成される軒樋本体の内側に沿設される。
【先行技術文献】
【特許文献】
【０００３】
【特許文献１】特開２０１３−１２７１８５号公報
【発明の概要】
【発明が解決しようとする課題】
【０００４】
一方側軒樋本体と他方側軒樋本体をより確実に接合するために、軒樋本体の内側に沿設される内継手の他に、一方側軒樋本体の外面と他方側軒樋本体の外面との継ぎ目を覆う外継手を軒樋本体の外側に別途設けることがある。
【０００５】
この場合、内継手と外継手を互いに独立に軒樋本体に設置せねばならず、施工性が低下する。
【０００６】
そこで、本開示の目的は、一方側軒樋本体と他方側軒樋本体を内側と外側の両方でより確実に接合でき、施工性も向上できる軒樋継手を提供することにある。
【課題を解決するための手段】
【０００７】
上記課題を解決するため、本開示に係る軒樋継手は、互いに隣接する一方側軒樋本体の端部と他方側軒樋本体の端部を接続する軒樋継手であって、一方側軒樋本体の内面に設置される内側第１部分と他方側軒樋本体の内面に設置される内側第２部分とを有して、一方側軒樋本体の内面と他方側軒樋本体の内面との継ぎ目を内側から覆うように沿設される内継手と、一方側軒樋本体の外面に装着される外側第１部分と他方側軒樋本体の外面に装着される外側第２部分とを有して、一方側軒樋本体の外面と他方側軒樋本体の外面との継ぎ目を外側から覆うように沿設される外継手と、を備え、内継手は、一方側軒樋本体と他方側軒樋本体とで構成される軒樋本体の底面側から軒樋本体の前壁に沿うように延在する内継手前壁と、底面側から軒樋本体の後壁に沿うように延在する内継手後壁と、を有し、内継手前壁が前壁の上端部に設けられた前側耳部に係止する前側係止部を有すると共に、内継手後壁が前記後壁の上端部に設けられた後側耳部に係止する後側係止部を有し、内継手前壁と内継手後壁が第１のヒンジ部を介して接続され、内継手前壁の上端部と外継手の上端部が第２のヒンジ部を介して接続される。
【発明の効果】
【０００８】
本開示に係る軒樋継手によれば、一方側軒樋本体と他方側軒樋本体を内側と外側の両方でより確実に接合でき、施工性も向上できる。
【図面の簡単な説明】
【０００９】
【図１】本開示の一実施形態に係る軒樋継手の斜視図である。
【図２】軒樋継手の内継手における内継手前壁を表す斜視図である。
【図３】一体に構成される内継手後壁及び内継手底壁の斜視図である。
【図４】軒樋継手の外継手の斜視図である。
【図５】軒樋継手によって繋がれる一方側軒樋本体における延在方向の一方側端部周辺の斜視図である。
【図６】軒樋継手によって繋がれた軒樋本体の一方側軒樋本体をＹＺ平面で切断したときの断面図である。
【図７】軒樋継手を軒樋本体に設置する途中の断面図である。
【図８】屋根のせり出し部等による狭所部分にも軒樋継手を取り付け可能となる作用効果について説明する図である。
【図９】軒樋継手を軒樋本体に設置する途中の断面図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。
【００１１】
家屋には、屋根から落ちてくる雨水を受けるための軒樋が設けられる。軒樋は家屋に取り付けられる際、１本の軒樋で形成されるのではなく、数本の軒樋本体と、互いに突き合わされた各２本の軒樋本体の間を繋ぐ軒樋継手とを含む。軒樋継手は、係止部を用いて２本の軒樋本体の間を繋ぐ。なお、接着剤を用いることで、繋目の隙間から水が漏れることを防ぎ易くなる。本開示の軒樋の場合に、接着剤を何処に塗布すると好ましいかは、後で説明する。
【００１２】
また、以下の説明及び図面で、Ｘ方向は、軒樋継手１の延在方向を表し、一方側軒樋本体５０と他方側軒樋本体とで構成される軒樋本体における軒樋継手の設置領域の延在方向に一致する。また、Ｙ方向は、軒樋継手１の幅方向を表し、上記軒樋本体における軒継手の設置領域の幅方向に一致する。また、Ｚ方向は、軒樋継手１の高さ方向を表し、上記軒樋本体における軒継手の設置領域の高さ方向に一致する。また、以下の説明及び図面では、軒樋継手１を軒樋本体に設置した状態において、Ｙ方向の軒側（家屋側）とは反対側を前側として言及し、Ｙ方向の軒側を後側として言及する。
【００１３】
図１は、本開示の一実施形態に係る軒樋継手１の斜視図である。軒樋継手１は、プラスチック等の樹脂で構成されると好ましい。図１に示すように、軒樋継手１は、内継手１０及び外継手３０を備える。また、内継手１０は、内継手前壁１１と、内継手後壁１２と、内継手底壁１３を含む。内継手後壁１２は、内継手底壁１３の後側端部からＺ方向上側領域に延在する。内継手後壁１２と、内継手底壁１３は、一体に構成され、内継手前壁１１は、内継手底壁１３の前側に着脱可能に取り付けられる。内継手底壁１３に対する内継手前壁１１の取り付け構造については、後で説明する。
【００１４】
図２は、内継手前壁１１を表す斜視図である。図２に示すように、内継手前壁１１のＺ方向下側の端部には、底壁突合部１１ａ及び円弧状部１１ｂが設けられ、底壁突合部１１ａは、内継手底壁１３（図１参照）と略同一平面上に配置される。円弧状部１１ｂは、Ｚ方向に延在する連結部１１ｃを介して底壁突合部１１ａに接続される。円弧状部１１ｂは、Ｘ方向に延在し、ＹＺ切断面において円弧形状を有する。円弧状部１１ｂの内側面は、円筒内周面の一部で構成され、円筒内周面においてπラジアンより大きい位相部分で構成されると好ましい。
【００１５】
図３は、一体に構成される内継手後壁１２及び内継手底壁１３の斜視図である。図３に示すように、内継手後壁１２は、本体部１２ａと、後側係止部１２ｂを含む。本体部１２ａは、内継手底壁１３のＹ方向後側の端部からＺ方向上側に延在する。後側係止部１２ｂは、本体部１２ａのＺ方向上方側の端部からＹ方向前側に屈曲して本体部１２ａからＹ方向前側に突出する。
【００１６】
一方、内継手底壁１３は、ＸＹ平面上に広がる本体部１３ａ、丸棒部１３ｂ、及び連結部１３ｃを含む。連結部１３ｃは、本体部１３ａのＹ方向の前側端部からＺ方向上側に延在し、丸棒部１３ｂと本体部１３ａを連結する。丸棒部１３ｂは、Ｘ方向に延在し、ＹＺ切断面において真円（丸）形状を有する。丸棒部１３ｂのＹＺ切断面での直径は、円弧状部１１ｂ（図２参照）の内側面を含む円筒内周面の直径と同一かその直径より僅かに小さい。丸棒部１３ｂは、円弧状部１１ｂの内側面に回動自在にはめ込まれる。その結果、一体に構成される内継手後壁１２及び内継手底壁１３が、丸棒部１３ｂの中心軸を支点として内継手前壁１１に対して回動自在になる。円弧状部１１ｂ及びその内側面にはめ込まれる丸棒部１３ｂは、第１のヒンジ部２０（図１参照）を構成する。
【００１７】
再度、図２を参照して、内継手前壁１１は、Ｚ方向上側に前側係止部１１ｄを有する。前側係止部１１ｄにおけるＹ方向後側かつＺ方向上側には、Ｘ方向の両端部に円弧状部１１ｅが設けられる。２つの円弧状部１１ｅは同一である。各円弧状部１１ｅは、Ｙ方向の後側領域に開口する。各円弧状部１１ｅの内側面は、円筒内周面の一部で構成され、円筒内周面においてπラジアンより大きい位相部分で構成されると好ましい。
【００１８】
再度、図１を参照して、外継手３０は、外継手前壁３１、外継手底壁３２、及び外継手後壁３３を有する。外継手前壁３１は、Ｚ方向上方に行くにしたがって上方側かつ前側に傾斜する前側傾斜部３１ａを含み、前側傾斜部３１ａは、内継手前壁１１のＹ方向前側の端面１１ｆに沿うように広がる。また、外継手底壁３２は、外継手前壁３１のＺ方向下側の端部から内継手底壁１３に沿うように広がり、外継手後壁３３は、外継手底壁３２のＹ方向後側の端部から内継手後壁１２に沿うように広がる。
【００１９】
図４は、外継手３０の斜視図である。図４に示すように、外継手前壁３１は、前側傾斜部３１ａの他に後側傾斜部３１ｂを有する。後側傾斜部３１ｂは、前側傾斜部３１ａのＺ方向上側端部からＸＺ平面に対して下方側かつ後側に傾斜する。後側傾斜部３１ｂは、前側傾斜部３１ａとＸ方向寸法が略等しい幅広部３１ｄ、Ｘ方向寸法が前側傾斜部３１ａよりも小さい幅狭部、及び丸棒部３１ｃを有する。丸棒部３１ｃは、Ｚ方向の高さが略同じ状態でＸ方向に延在し、ＹＺ切断面において真円（丸）形状を有する。丸棒部３１ｃのＸ方向の延在寸法は、前側傾斜部３１ａのＸ方向寸法と略等しい。上記幅狭部のＸ方向寸法は、内継手前壁１１の一方の円弧状部１１ｅ（図２参照）と他方の円弧状部１１ｅとのＸ方向隙間の寸法ａ（図２参照）以下になっている。上記幅狭部は、幅広部３１ｄのＸ方向中央部と、丸棒部３１ｃのＸ方向中央部を連結する。
【００２０】
図１に示すように、丸棒部３１ｃのＸ方向の一方側端部が一方の円弧状部１１ｅの内側面に回動自在にはめ込まれ、丸棒部３１ｃのＸ方向の他方側端部が他方の円弧状部１１ｅの内側面に回動自在にはめ込まれる。その結果、外継手３０が、丸棒部３１ｃの中心軸を支点として内継手前壁１１に対して回動自在になる。２つの円弧状部１１ｅ及び各円弧状部１１ｅの内側面にはめ込まれる丸棒部３１ｃは、第２のヒンジ部４０を構成する。
【００２１】
次に、軒樋継手１によって繋がれる軒樋本体の構造について説明する。図５は、軒樋継手１によって繋がれる一方側軒樋本体５０及び他方側軒樋本体のうちの一方側軒樋本体５０における延在方向の一方側端部周辺の斜視図である。なお、軒樋継手１によって一方側軒樋本体５０と繋がれる他方側軒樋本体の図示は省略する。他方側軒樋本体の延在方向に垂直な切断面（ＹＺ平面の切断面）での断面構造（断面形状及びその大きさ）は、一方側軒樋本体５０の延在方向に垂直な切断面での断面構造と略一致する。
【００２２】
図５に示すように、一方側軒樋本体５０は、前壁５１、底壁５２、及び後壁５３を含む。前壁５１は、前壁本体部６１と、前側耳部６２を有する。前壁本体部６１は、底壁５２のＹ方向前側の端部からＺ方向上方かつＹ方向前側に傾斜する。また、前側耳部６２は、前壁５１における軒樋本体の開口側に設けられる。前側耳部６２は、後側傾斜部６２ａと、前側延在部６２ｂと、折返部６２ｃを含む。
【００２３】
後側傾斜部６２ａは、前壁本体部６１のＺ方向上方の端部からＺ方向下方かつＹ方向後側に傾斜する。また、前側延在部６２ｂは、後側傾斜部６２ａのＺ方向下側端部からＹ方向前側に屈曲し、略Ｙ方向前側に延在する。また、折返部６２ｃは、前側延在部６２ｂの前側端部から上側に略１８０度折り返されて、先端が前側延在部６２ｂの上面に接触する。折返部６２ｃの先端は、前側延在部６２ｂの上面に接合されてもよい。
【００２４】
後壁５３は、後壁本体部６５と、後側耳部６６を有する。後壁本体部６５は、底壁５２のＹ方向後側の端部からＺ方向上方に延在する。また、後側耳部６６は、前側延在部６６ａと、下側延在部６６ｂと、折返部６６ｃを含む。前側延在部６６ａは、後壁本体部６５のＺ方向上方の端部からＹ方向前側に屈曲してＹ方向前側に延在する。また、下側延在部６６ｂは、前側延在部６６ａの前側の端部からＺ方向下側に屈曲してＺ方向下側に延在する。また、折返部６６ｃは、下側延在部６６ｂの下側端部から後側に略１８０度折り返されて、先端が下側延在部６６ｂの後面に接触する。折返部６６ｃの先端は、下側延在部６６ｂの後面に接合されてもよい。
【００２５】
次に、軒樋本体に対する軒樋継手１の設置について説明する。軒樋継手１の内継手１０は、一方側軒樋本体５０の内面に設置される内側第１部分と他方側軒樋本体の内面に設置される内側第２部分とを有して一方側軒樋本体の内面と他方側軒樋本体の内面との継ぎ目を覆うように沿設される。また、軒樋継手１の外継手３０は、一方側軒樋本体５０の外面に装着される外側第１部分と他方側軒樋本体の外面に装着される外側第２部分とを有して、一方側軒樋本体５０の外面と他方側軒樋本体の外面との継ぎ目を覆うように沿設される。
【００２６】
図６は、軒樋継手１によって繋がれた軒樋本体８０の一方側軒樋本体５０をＹＺ平面で切断したときの断面図である。なお、図６、図７、及び図９において、参照番号９０は、家屋の屋根を表す。図６に示すように、内継手前壁１１は、一方側軒樋本体５０と他方側軒樋本体とで構成される軒樋本体８０の底面側から軒樋本体８０の前壁５１に沿うように延在する。また、内継手後壁１２は、軒樋本体８０の底面側から軒樋本体８０の後壁５３に沿うように延在する。また、内継手底壁１３は、軒樋本体８０の底壁５２に沿うようにＹ方向に延在し、前壁５１のＺ方向下側の端部と後壁５３のＺ方向下側の端部を連結する。
【００２７】
内継手前壁１１の前側係止部１１ｄは、前壁５１の前側耳部６２に係止される。詳しくは、内継手前壁１１は、前壁５１に沿うように延在する本体部１１ｈを有し、前側係止部１１ｄは、本体部１１ｈからＹ方向後側に屈曲してＹ方向後側に延在する。円弧状部１１ｅは、連結部１１ｇを介して前側係止部１１ｄの上面におけるＹ方向後側の端部に接続される。前側耳部６２の前側延在部６２ｂは、前側係止部１１ｄの上面１１ｉに接触し、前側係止部１１ｄの上面１１ｉからＺ方向上側に力を受ける。その結果、前側耳部６２が前側係止部１１ｄに係止される。前側係止部１１ｄの上面１１ｉは、耳部押さえ面を構成する。
【００２８】
内継手後壁１２の後側係止部１２ｂは、後壁５３の後側耳部６６に係止される。詳しくは、後側耳部６６における下側延在部６６ｂと折返部６６ｃの接続部は、Ｚ方向下側に突出する。当該接続部のＺ方向下側の先端部は、後側係止部１２ｂの上面に接触し、後側係止部１２ｂの上面からＺ方向上側に力を受ける。その結果、後側耳部６６が後側係止部１２ｂに係止される。内継手前壁１１と内継手後壁１２は、第１のヒンジ部を介して接続される。
【００２９】
外継手３０は、一体成形により構成される。外継手３０の外継手前壁３１は、軒樋本体の前壁５１に沿うように延在し、外継手３０の外継手底壁３２は、軒樋本体の底壁５２に沿うように延在する。また、外継手３０の外継手後壁３３は、外継手底壁３２のＹ方向後側の端部から軒樋本体８０の後壁５３に沿うようにＺ方向上側に突出する。
【００３０】
外継手前壁３１は、前壁５１の前側耳部６２に係止する耳部係止部７４を有する。詳しくは、外継手前壁３１の前側傾斜部３１ａは、外継手底壁３２のＹ方向の前側端部からＺ方向上方かつＹ方向前側に傾斜する。また、外継手前壁３１の後側傾斜部３１ｂは、前側傾斜部３１ａのＺ方向上側端部からＺ方向下方側かつＹ方向後側に傾斜する。前側傾斜部３１ａと後側傾斜部３１ｂとの接続部の内側面は、図６に示す断面図において鋭角θをなす凹部を画定する。
【００３１】
一方、上述のように、軒樋本体８０の前壁本体部６１は、底壁５２のＹ方向前側の端部からＺ方向上方かつＹ方向前側に傾斜する。また、軒樋本体８０の後側傾斜部６２ａは、前壁本体部６１のＺ方向上方の端部からＺ方向下方かつＹ方向後側に傾斜する。前壁本体部６１と後側傾斜部６２ａとの接続部の外側面は、上記凹部を画定する内側面に対応する形状を有し、上記凹部に嵌りこむ。この嵌り込みにより、外継手前壁３１が前側耳部６２に係止される。耳部係止部７４は、前側傾斜部３１ａと後側傾斜部３１ｂとの接続部の内側面で構成される。内継手前壁１１と外継手３０は、第２のヒンジ部４０を介して接続される。耳部係止部７４と、前側係止部１１ｄの上面１１ｉ（耳部押さえ面）は、第２のヒンジ部４０を介して接続される。
【００３２】
上記構成において、例えば、次のように軒樋継手１を軒樋本体８０に設置する。先ず、図７、すなわち、軒樋継手１を軒樋本体８０に設置する途中の断面図に示すように、第１のヒンジ部２０を用いて、内継手後壁１２のＺ方向上方の端部が内継手前壁１１に接触するように内継手後壁１２を内継手前壁１１側に回転させる。また、第２のヒンジ部４０を用いて、外継手３０を、内継手１０に対して適切に回転させ、外継手３０の大部分を内継手１０よりもＺ方向上方に配置する。
【００３３】
次に、その状態で、内継手１０を、軒樋本体８０の継ぎ目に跨るように軒樋本体８０内に挿入する。そして、内継手前壁１１の本体部１１ｈが前壁５１に当接するまで、前側係止部１１ｄを前側耳部６２の前側延在部６２ｂの下側に押し込み、図７に示すように、前側係止部１１ｄを前側耳部６２に係止する。
【００３４】
図８は、図７にＲで示す領域の拡大図である。図８に示すように、本開示の軒樋継手１は、第１のヒンジ部２０を有するので、内継手後壁１２のＺ方向上方の端部が内継手前壁１１に接触するまで内継手後壁１２を内継手前壁１１側に回転させることができる。したがって、内継手１０のＹ方向の寸法を小さくでき、内継手１０を軒樋本体８０内に挿入する際の内継手１０と軒樋本体８０の最小のＹ方向隙間ｂを大きくできる。その結果、屋根のせり出し部等による狭所部分にも軒樋継手１を取り付けできる。
【００３５】
再度、図７を参照して、前側係止部１１ｄを前側耳部６２に係止した後、内継手底壁１３の丸棒部１３ｂを内継手前壁１１の円弧状部１１ｂに対して図７に矢印αで示す時計回りに回転させる。図９に示すように、この時計回りの回転は、内継手後壁１２の本体部１２ａが後壁５３の後壁本体部６５に当接するまで行う。この時計回りの回転によって、内継手後壁１２の後側係止部１２ｂが後側耳部６６のＺ方向下側に圧入され、内継手後壁１２及び内継手底壁１３からなる一体構造が軒樋本体８０の継ぎ目に固定される。
【００３６】
最後に、内継手前壁１１の各円弧状部１１ｅに対して外継手３０の丸棒部３１ｃを図９に矢印βで示す方向に反時計回りに回転させる。そして、外継手前壁３１の耳部係止部７４を前壁５１の前側耳部６２に係止すると共に、外継手３０の外継手後壁３３を後壁５３の後壁本体部６５の後側面に係止する。このようにして、図６に示すように、外継手前壁３１の前側傾斜部３１ａを前壁本体部６１に当接させると共に、外継手底壁３２を底壁５２に当接させ、軒樋本体８０に対する軒樋継手１の設置を完了する。
【００３７】
上記実施形態によれば、軒樋継手１は、互いに隣接する一方側軒樋本体５０の端部と他方側軒樋本体の端部を接続する。また、軒樋継手１は、一方側軒樋本体５０の内面に設置される内側第１部分と前記他方側軒樋本体の内面に設置される内側第２部分とを有して、その一方側軒樋本体の内面と上記他方側軒樋本体の内面との継ぎ目を内側から覆うように沿設される内継手１０を備える。また、軒樋継手１は、一方側軒樋本体５０の外面に装着される外側第１部分と他方側軒樋本体の外面に装着される外側第２部分とを有して、一方側軒樋本体５０の外面と他方側軒樋本体の外面との継ぎ目を外側から覆うように沿設される外継手３０を備える。また、内継手１０は、一方側軒樋本体５０と他方側軒樋本体とで構成される軒樋本体８０の底面側から軒樋本体８０の前壁５１に沿うように延在する内継手前壁１１と、該底面側から軒樋本体８０の後壁５３に沿うように延在する内継手後壁１２と、を有する。また、内継手前壁１１が前壁５１の上端部に設けられた前側耳部６２に係止する前側係止部１１ｄを有すると共に、内継手後壁１２が後壁５３の上端部に設けられた後側耳部６６に係止する後側係止部１２ｂを有する。そして、内継手前壁１１と内継手後壁１２が第１のヒンジ部２０を介して接続され、内継手前壁１１の上端部と外継手３０の上端部が第２のヒンジ部４０を介して接続される。
【００３８】
したがって、軒樋本体８０の内側に内継手１０を設置した後、第２のヒンジ部４０を介して外継手３０を内継手前壁１１に対して回動させるだけで、外継手３０を軒樋本体８０の外側に容易に設置できる。よって、内継手１０と外継手３０を軒樋本体８０に互いに別個に設置する必要がなく、内継手１０と外継手３０との一体的な取り扱いが可能になって、内継手１０及び外継手３０を一連の連続的な動作で軒樋本体８０に容易に設置できる。その結果、一方側軒樋本体５０と他方側軒樋本体を内継手１０と外継手３０の両方を用いて内側と外側の両方でより確実に接合できるだけでなく、施工性も向上できる。
【００３９】
更には、上述のように、第１のヒンジ部２０によって、内継手後壁１２のＺ方向上方の端部が内継手前壁１１に接触するまで、内継手後壁１２を内継手前壁１１側に回転させることができる。したがって、内継手１０を軒樋本体８０内に挿入する際の内継手１０と軒樋本体８０の最小のＹ方向隙間ｂ（図８参照）を大きくでき、屋根のせり出し部等による狭所部分にも軒樋継手１を取り付けできる。
【００４０】
また、外継手３０は、前壁５１に沿うように延在する外継手前壁３１と、軒樋本体８０の底面に沿うように延在する外継手底壁３２と、後壁５３に沿うように延在する外継手後壁３３と、を有してもよい。また、外継手前壁３１が、前側耳部６２に係止する耳部係止部７４を有し、内継手前壁１１の前側係止部１１ｄが、前側耳部６２に接する耳部押さえ面（前側係止部１１ｄの上面１１ｉ）を有してもよい。そして、耳部係止部７４と上記耳部押さえ面が、第２のヒンジ部４０を介して接続されてもよい。
【００４１】
上記構成によれば、外継手前壁３１が外継手前壁３１に沿うように延在すると共に、外継手底壁３２が軒樋本体８０の底面に沿うように延在している状態で、外継手後壁３３を後壁５３に係止できる。更には、外継手前壁３１の耳部係止部７４を、前側耳部６２に係止でき、内継手前壁１１の耳部押さえ面を前側耳部６２に係止できる。したがって、外継手３０を軒樋本体８０に確実に固定できる。
【００４２】
尚、本開示は、上記実施形態およびその変形例に限定されるものではなく、本願の特許請求の範囲に記載された事項およびその均等な範囲において種々の改良や変更が可能である。例えば、軒樋本体のＹＺ平面における切断面の形状は、図５に示す形状に限らず、半円形状、半楕円形状、矩形の形状、又は等脚台形の形状等、如何なる形状であってもよい。軒樋本体は、上側に開口する凹部を画定できる形状であれば如何なる断面形状でもよい。
【００４３】
また、接着剤を使用しないで軒樋本体８０に軒樋継手１を取り付ける例について説明したが、接着剤を用いて軒樋本体に軒樋継手を固定してもよい。詳しくは、図７を参照して、内継手底壁１３の底側の面、及び内継手後壁１２の後側の面のうちの少なくとも一部に接着剤が塗布されてもよい。また、外継手３０の後側傾斜部３１ｂの軒樋本体８０側の面、前側傾斜部３１ａの軒樋本体８０側の面、外継手底壁３２の軒樋本体８０側の面、及び外継手後壁の軒樋本体８０側の面のうちの少なくとも一部に接着剤が塗布されてもよい。また、前壁本体部６１の前側の面、及び前側耳部６２の上側の面の少なくとも一部に接着剤が塗布されてもよい。接着剤を用いると、軒樋本体に軒樋継手を確実に固定できて好ましい。
【符号の説明】
【００４４】
１  軒樋継手、  １０  内継手、  １１  内継手前壁、  １１ｄ  前側係止部、  １１ｉ  前側係止部の上面（耳部押さえ面）  １２  内継手後壁、  １２ｂ  後側係止部、  ２０  第１のヒンジ部、  ３０  外継手、  ３１  外継手前壁、  ３２  外継手底壁、  ３３  外継手後壁、  ４０  第２のヒンジ部、  ５０  一方側軒樋本体、  ５１  軒樋本体の前壁、  ５３  軒樋本体の後壁、  ６２  前側耳部、  ７４  耳部係止部、  ８０  軒樋本体。
【図１】
2019002247.tif 000003
【図２】
2019002247.tif 000004
【図３】
2019002247.tif 000005
【図４】
2019002247.tif 000006
【図５】
2019002247.tif 000007
【図６】
2019002247.tif 000008
【図７】
2019002247.tif 000009
【図８】
2019002247.tif 000010
【図９】
2019002247.tif 000011